(57)【要約】【課題】装身具の新たな挟着構造に関するものであり、更に具体的には、イヤリングにおける耳たぶへの挟着構造に係るものである。【解決手段】一対の装飾部２、３と、装飾部２の一端に突片４を形成し、装飾部３の一端には該突片４を挟む分岐部５が形成され、これらをピン６にて回転可能に連結し、装飾部３の内側に前記突片４の内周面４ａ及び先端面４ｂを抑えるばね７を備え、装飾部２、３にてほぼル−プを構成した装身具１であって、装飾部３の内周側で前記分岐部５に臨んでフック１１を備え、先端７ａを分岐部５より突出させ、かつ後端７ｃを装飾部３の内周面に向かって曲げられたばね７の中間部分７ｂを、前記フック１１にて装飾部３の内周面に向かって押え込み、当該ばね７の先端７ａに弾発力を付与したことを特徴とする装身具の挟着構造。【選択図】  図２
2004283437.tif 000002
【特許請求の範囲】
【請求項１】
一対の装飾部２、３と、装飾部２の一端に突片４を形成し、装飾部３の一端には該突片４を挟む分岐部５が形成され、これらをピン６にて回転可能に連結し、装飾部３の内側に前記突片４の内周面４ａ及び先端面４ｂを抑えるばね７を備え、装飾部２、３にてほぼル−プを構成した装身具１であって、装飾部３の内周側で前記分岐部５に臨んでフック１１を備え、先端７ａを分岐部５より突出させ、かつ後端７ｃを装飾部３の内周面に向かって曲げられたばね７の中間部分７ｂを、前記フック１１にて装飾部３の内周面に向かって押え込み、当該ばね７の先端７ａに弾発力を付与したことを特徴とする装身具の挟着構造。
【請求項２】
フック１１は常態でばね７の中間部分７ｂよりも背丈の低い台座１１に形成された請求項１記載の装身具の挟着構造。
【請求項３】
ばね７の後端７ｃが装飾部３の内周面に設けられた窪み１０に収納された請求項１又は２記載の装身具の挟着構造。
【請求項４】
ばね７の中間部分７ｂより後側に装飾部３の内周面との間で空間部７ｄを形成した請求項１乃至３記載の装身具の挟着構造。
【発明の詳細な説明】
【０００１】
【発明が属する技術分野】
本発明は装身具の新たな挟着構造に関するものであり、更に具体的には、イヤリングにおける耳たぶへの挟着構造に係るものである。
【０００２】
【従来の技術】
以下、本発明をイヤリングを代表として説明する。イヤリングを耳たぶへ挟着するに際しては、特許文献１にて代表されるように通常は装飾部を二分し、夫々の一方端を回転可能に連結し、他方端で耳たぶを挟む構造となっている。そして、回転可能部に例えば板ばね等を装着してこのばねが有する弾発性を利用して挟着力を得るものである。
【０００３】
図１はその代表例を示したものであり、イヤリング２１は一対の装飾部２２、２３の例えば装飾部２２の一端に突片２４を構成し、装飾部２３の一端にはこの突片２４を挟む分岐部２５が形成され、これらをピン２６にて回転可能に連結したものであり、装飾部２３の内周側に（板）ばね２７を添え、その基端２７ｃ側をフック２８にて固定し、ばね２７の先端２７ａ側に力を加えることによって発生する弾発性を利用して突片２４の内周面２４ａ或いは先端面２４ｂを押え付けるものであって、突片２４の内周面２４ａを押えることによって装飾部２２、２３を閉じた状態に保ち（図１（イ））、一方、突片２４の先端面２４ｂを押え付けることによって装飾部２２、２３を開いた状態に保つもので（図１（ロ））、図１（イ）の状態で装飾部２２、２３にて耳たぶを挟む構造となっている。尚、符号２９はストッパーである。
【０００４】
【特許文献１】特開平１０−１９２０１６号公報
【０００５】
しかるに、かかるばね２７にあって、基端２７ｃ側の固定はフック２８にて行われるものであって、極めて強固に固定しない限り、ばね２７は先端２７ａ側にずれたり、抜け落ちたりしてしまう。このため、ばね２７は元より、フック２８も比較的大きなしかも強度のある材質としなければならなかった。しかも、かかる欠点を解消するためには、ばね２７の固定には極めて慎重な作業を要しており、この点でもコストアップの要因となっていた。
【０００６】
更にばね２７のばね性について言えば、フック２８より先端２７ａ側の長さのみがばね特性に寄与するだけであり、しかも図１（イ）に示すように装飾部２２、２３を閉じた場合には、装飾部２３の内周に沿わせただけのばね２７であるため、ほとんど弾発性を与えることなく突片２４の内周面２４ａを押えて装飾部２２、２３を閉じる状態とするものである。このため、場合によっては、イヤリングが耳たぶから落ちてしまうこともしばしばであり、イヤリングの紛失の原因となっていた。
【０００７】
【発明が解決しようとする課題】
本発明は上記した従来の挟着構造を改良したものであり、用いられるばねの全長をもって弾発力を得ようとするにあり、挟着力の持続性、更にはばねを装飾部に固定するさいの作業性の向上を狙ったものである。
【０００８】
【課題を解決するための手段】
本発明の要旨は、一対の装飾部２、３と、装飾部２の一端に突片４を形成し、装飾部３の一端には該突片４を挟む分岐部５が形成され、これらをピン６にて回転可能に連結し、装飾部３の内側に前記突片４の内周面４ａ及び先端面４ｂを抑えるばね７を備え、装飾部２、３にてほぼル−プを構成した装身具１であって、装飾部３の内周側で前記分岐部５に臨んでフック１１を備え、先端７ａを分岐部５より突出させ、かつ後端７ｃを装飾部３の内周面に向かって曲げられたばね７の中間部分７ｂを、前記フック１１にて装飾部３の内周面に向かって押え込み、当該ばね７の全長を利用して先端７ａに弾発力を付与したことを特徴とする装身具の挟着構造にかかるものである。
【０００９】
【発明の実施の形態】
本発明のばね７の形状は常態で略Ｌ字状をなし、Ｌ字の長片の先端を分岐部５より突出する部位とし、Ｌ字の短片の先端を装飾部３の内周面に当接させたものであり、Ｌ字の長片の中間部分をフック１１にて装飾部３の内周面側に押さえ付けてなるものである。ばね７の形状を言えば、中間部分７ｂより前後でフック１１にて屈曲され、後側に装飾部３の内周面との間で空間部７ｄを形成し、先端７ａにて突片４の内周面４ａを弾発性をもって押さえ付けるものである。
【００１０】
本発明のばね７は板状ばねであっても丸線状のばねであってもよく、特に限定はない。そして、フック１１は常態でばね７の中間部分７ｂよりも背丈の低い台座１２に形成されるのがよく、更に望ましくは、ばね７の後端７ｃが装飾部３の内周面に設けられた窪み１０に収納されるのがよい。
【００１１】
本発明のイヤリングの挟着構造は以上のような構成を有するものであり、ばね７はフック１１の存在によって常にばね７に弾発性を付与した状態で装飾部３に装着されるものである。このため、耳たぶへの装着は確実になることは言うまでもない。そして、ばね７は予めフック１１の働きにより弾発性を与えておくもので、このため、本発明で用いられるばね７は従来のものよりも小型で弱いバネで十分であり、柔らか味のあるばね特性が得られることになる。
【００１２】
そして、ばね７の後端７ｃは常に装飾部３の内周面に押さえ付けられているため、その後端７ｃが内周面に食い込む働きをする。このため、従来のばねのように使用中に抜けだすような欠点はなく、ばね７の装着時にさほど注意を払わずに済むもので、その組立て作業性は極めて優れたものとなる。
【００１３】
【実施例】
以下、図面をもって本発明を更に詳細に説明する。図２は本発明のイヤリング１であり、（イ）は装飾部２、３の閉鎖時の、（ロ）は装飾部２、３の開放時の夫々側面図である。
【００１４】
イヤリング１はほぼ半円形をなす一対の装飾部２、３からなり、装飾部２の一端に突片４を構成し、装飾部３の一端にはこの突片４を挟む分岐部（ここでは二股）５が形成され、これらをピン６にて回転可能に連結したものである。装飾部２、３の他端は耳たぶを挟む機能をなし、通常は押え片２ａ、３ａが備えられている。
【００１５】
符号７は板ばねであって、常態では全体が略Ｌ字状をなしている。そして、装飾部３への装着時には、長片の先端７ａを分岐部５より突出する部位とし、短片の先端７ｃを装飾部３の内周面に当接させたものであり、長片の中間部分７ｂをフック１１にて装飾部３の内周面側に押え付けてなるものである。従って、ばね７の形状を言えば、長片は中間部分７ｂより前後でフック１１にて屈曲され、後側に装飾部３の内周面との間で空間部７ｄを形成し、先端７ａにて突片４の内周面４ａ或いは先端面４ｂを常に弾発性をもって押さえ付けることになる。尚、短片の先端７ｃは装飾部３の内周面に形成した窪み１０内に納めることがよく、この窪み１０は装飾部３の内周面に直接穴を形成しても、或いは突状を形成し、これによって窪みを新たにもたらしたものであってもよい。
【００１６】
フック１１について言えば、この例では装飾部３の内周側で台座１２を形成し、その上にフック１１を備えたものであり、ばね７の中間部分７ｂを台座１２に接触させつつフック１１にて内方より装飾部３側に押さえ付けるものであるが、この中間部分７ｂは必ずしも台座１２に接触するようにフック１１にて押さえ付ける必要はなく、台座１２からやや浮き上がった状態でフック１１にて支持されてもよい。
【００１７】
さて、図２の（イ）にて示したように装飾部２、３の閉鎖時には、板ばね７の先端７ａにて突片４の内周面４ａを抑えてなるものである。この状態はイヤリング１を耳たぶに装着した際の図でもあり、ばね７の弾発力をもって突片４の内周面４ａを抑えることになる。本発明にあっては、ばね７は中間部分７ｂをフック１１にて押さえ付けられて湾曲状をなしているため、後端７ｃより先端７ａ側にその全長をもってばね弾性を生じることとなる。
【００１８】
尚、図２の（ロ）にて示すように装飾部２、３の解放時には、板ばね７の先端７ａにて突片４の先端面４ｂを押さえ付けて解放状態を維持することとなる。
【００１９】
以上のように、本発明のばねは常に弾発性をもって構成されているため、装飾部２、３の開閉時に不具合はなく、そのばね自体も比較的弱いばねが採用できるため小型化（更には薄型化）がもたらされ、ばね特性も柔らか味のあるものとなり、ばね自体も比較的安価なもので十分である。
【００２０】
更に言えば、ばね７が常時フック１１にて押さえ付けられて湾曲されているため、従来のばねのように先端側に抜け出してしまうこともなくなり、その装着も完全に固定することは要求されず、それほど技術の要らないものとなるという大きなメリットがある。
【００２１】
ばね７の後端７ｃを支える装飾部３の内面は場合によっては平坦な儘であってもよいが、前記したような穴を開けた窪み１０をもたらすものがよく、更には、図示はしないが、装飾部３の内周に突状部を備え、その間に窪み１０を形成する方法、枡状又は円筒を備えて窪み１０を形成してもよく、いずれにしろ窪み１０内にばね７の後端７ｃを収納して支持することが望ましい。
【００２２】
図３は本発明のイヤリングの別例を示す図２の（ロ）に相当する図である。この例にあって、装飾部３の内周側に凹段部３ｂを形成し、この底部に窪み１０を形成し、更に、フック１１（及び台座１２）も又この底部３ｂに形成したものである。このようにすることにより、ばね７の支持は比較的装飾部３より内側に露呈することなく装飾部３内に隠れてしまうため、見栄えがよくなるという特徴がある。
【００２３】
【発明の効果】
本発明は以上の通りの構成を有するものであり、弾発力に柔らか味を付与することができ、例えばイヤリングに適用した場合、耳たぶを強圧することなく装着することができたもので、長時間の装着にも痛みを伴わないという大きな利点がある。又、ばね自体が小型化・薄型化できるため、軽量化が図られ、コスト面でも有利なものとなる。
【００２４】
以上、本発明をイヤリングをもって説明したが、装飾部を複数に分割して構成するその他の装飾具に適用できることは勿論であり、例えばピアスイヤリング、指輪、ペンダント等に用いることができ、その利用範囲は広い。
【図面の簡単な説明】
【図１】図１は従来のイヤリングの構造を示す図である。
【図２】図２は本発明のイヤリングの開放時及び閉鎖時を示す図である。
【図３】図３は本発明のイヤリングの別例を示す図である。
【符号の説明】
１‥イヤリング、
２、３‥装飾部、
３ｂ‥装飾部３の凹段部、
４‥突片、
４ａ‥突片の内周面、
４ｂ‥突片の先端面、
５‥分岐部、
６‥ピン、
７‥ばね、
７ａ‥ばねの先端、
７ｂ‥ばねの中間部分、
７ｃ‥ばねの後端、
７ｄ‥空間部、
１０‥窪み、
１１‥フック、
１２‥台座。
【図１】
2004283437.tif 000003
【図２】
2004283437.tif 000004
【図３】
2004283437.tif 000005